(57)【要約】      （修正有）【課題】環形動物を生息床から容易に分離することが可能な環形動物分離装置を提供する。【解決手段】環形動物分離装置１は、環形動物に生息環境を提供する生息床ＨＢから環形動物を分離する。環形動物分離装置１は、生息床ＨＢと、発酵に伴って臭気を発生する臭気発生体ＢＳと、が収容される生息床収容空間ＳＰ１，ＳＰ２を有する生息床収容部３０，４０を備える。生息床収容部３０，４０は、生息床収容空間ＳＰ１，ＳＰ２と、生息床収容空間ＳＰ１，ＳＰ２の外部と、を連通する、少なくとも１つの第１孔３２２を有する。生息床収容空間ＳＰ１，ＳＰ２は、少なくとも１つの第１孔３２２を除いて、気体に対して密閉される。【選択図】図１４
2019037148.tif 000002
【特許請求の範囲】
【請求項１】
環形動物に生息環境を提供する生息床から前記環形動物を分離する環形動物分離装置であって、
前記生息床と、発酵に伴って臭気を発生する臭気発生体と、が収容される生息床収容空間を有する生息床収容部を備え、
前記生息床収容部は、前記生息床収容空間と、前記生息床収容空間の外部と、を連通する、少なくとも１つの第１孔を有し、
前記生息床収容空間は、前記少なくとも１つの第１孔を除いて、気体に対して密閉される、環形動物分離装置。
【請求項２】
請求項１に記載の環形動物分離装置であって、
前記生息床収容空間の温度を制御する温度制御部を備える、環形動物分離装置。
【請求項３】
請求項１又は請求項２に記載の環形動物分離装置であって、
前記少なくとも１つの第１孔を介して前記生息床収容空間に連接する接続空間を形成するように前記生息床収容部に接続される接続部を備え、
前記接続部は、前記接続空間と、前記接続空間の外部と、を連通するとともに、前記接続空間が前記生息床収容部と接する面積よりも小さい開口を有し、
前記生息床収容空間、及び、前記接続空間からなる空間は、前記開口を除いて、気体に対して密閉される、環形動物分離装置。
【請求項４】
請求項３に記載の環形動物分離装置であって、
前記開口を介して前記接続空間に連接する環形動物収容空間を形成するように前記接続部に接続される環形動物収容部を備え、
前記環形動物収容部は、前記環形動物収容空間と、前記環形動物収容空間の外部と、を連通する、少なくとも１つの第２孔を有し、
前記生息床収容空間、前記接続空間、及び、前記環形動物収容空間からなる空間は、前記少なくとも１つの第２孔を除いて、気体に対して密閉される、環形動物分離装置。
【請求項５】
請求項４に記載の環形動物分離装置であって、
前記環形動物収容部は、前記少なくとも１つの第２孔を形成する壁が前記環形動物収容空間に突出する、環形動物分離装置。
【請求項６】
請求項３乃至請求項５のいずれか一項に記載の環形動物分離装置であって、
前記接続部は、前記接続空間を形成する壁が、水平面に対して、５０度以上であり且つ１８０度よりも小さい傾斜角だけ傾斜する、環形動物分離装置。
【請求項７】
請求項３乃至請求項６のいずれか一項に記載の環形動物分離装置であって、
前記接続部は、前記接続空間を形成する壁の少なくとも一部が透光性を有する、環形動物分離装置。
【請求項８】
環形動物に生息環境を提供する生息床から前記環形動物を分離する環形動物分離方法であって、
内部空間である生息床収容空間を有するとともに、前記生息床収容空間と、前記生息床収容空間の外部と、を連通する、少なくとも１つの第１孔を有する生息床収容部の前記生息床収容空間に、前記生息床と、発酵に伴って臭気を発生する臭気発生体と、を収容し、
前記生息床収容空間を、前記少なくとも１つの第１孔を除いて、気体に対して密閉する、環形動物分離方法。
【発明の詳細な説明】
【技術分野】
【０００１】
本発明は、環形動物分離装置、及び、環形動物分離方法に関する。
【背景技術】
【０００２】
ミミズ等の環形動物に生息環境を提供する生息床から環形動物を分離する環形動物分離装置が知られている。例えば、特許文献１に記載の環形動物分離装置は、生息床が収容される生息床収容空間と、環形動物が収容されるとともに生息床収容空間の下方に設けられた環形動物収容空間と、を有する容器を備える。この容器は、生息床収容空間と環形動物収容空間とを区画する板に複数の孔を有する。
【０００３】
この環形動物分離装置においては、生息床収容空間に収容された生息床に上方から光が照射される。光の照射によって、環形動物は、生息床中を下方に移動する。その後、生息床のうちの、上方の部分が取り除かれる。更に、光の照射と生息床の除去とが繰り返し行われることにより、環形動物は、孔を通って環形動物収容空間に移動する。この結果、環形動物は、生息床から分離される。
【先行技術文献】
【特許文献】
【０００４】
【特許文献１】特開平１１−１１４５４３号公報
【発明の概要】
【発明が解決しようとする課題】
【０００５】
しかしながら、生息床には、空気を含む種々の物質が含まれるため、光が生息床に進入する深さは、位置に依存して比較的大きく異なりやすい。このため、光の照射によって環形動物が移動する距離も、位置に依存して比較的大きく異なりやすい。
【０００６】
従って、１回で除去される生息床の量が比較的多い場合、生息床を除去する際に、環形動物が生息床とともに除去される虞がある。このため、生息床に含まれていた環形動物の総数に対する、生息床から分離される環形動物の数の割合を十分に高めるためには、１回で除去される生息床の量を十分に少なくするとともに、生息床の除去が行われる回数を増やさなければならない。
【０００７】
このように、上記環形動物分離装置においては、環形動物を生息床から分離するための手間が煩雑であるという課題があった。
【０００８】
本発明の目的の一つは、環形動物を生息床から容易に分離することである。
【課題を解決するための手段】
【０００９】
一つの側面では、環形動物分離装置は、環形動物に生息環境を提供する生息床から上記環形動物を分離する。
更に、環形動物分離装置は、
上記生息床と、発酵に伴って臭気を発生する臭気発生体と、が収容される生息床収容空間を有する生息床収容部を備え、
上記生息床収容部は、上記生息床収容空間と、上記生息床収容空間の外部と、を連通する、少なくとも１つの第１孔を有し、
上記生息床収容空間は、上記少なくとも１つの第１孔を除いて、気体に対して密閉される。
【００１０】
他の一つの側面では、環形動物分離方法は、環形動物に生息環境を提供する生息床から上記環形動物を分離する。
更に、環形動物分離方法は、
内部空間である生息床収容空間を有するとともに、上記生息床収容空間と、上記生息床収容空間の外部と、を連通する、少なくとも１つの第１孔を有する生息床収容部の上記生息床収容空間に、上記生息床と、発酵に伴って臭気を発生する臭気発生体と、を収容し、
上記生息床収容空間を、上記少なくとも１つの第１孔を除いて、気体に対して密閉する、ことを含む。
【発明の効果】
【００１１】
環形動物を生息床から容易に分離できる。
【図面の簡単な説明】
【００１２】
【図１】実施形態の環形動物分離装置の左前上方斜視図である。
【図２】実施形態の環形動物分離装置の正面図である。
【図３】実施形態の環形動物分離装置の右側面図である。
【図４】実施形態の環形動物分離装置の平面図である。
【図５】図４のＶ−Ｖ線により表される平面により切断された環形動物分離装置の断面図である。
【図６】図４のＶＩ−ＶＩ線により表される平面により切断された環形動物分離装置の断面図である。
【図７】実施形態の環形動物分離装置が分解された状態における環形動物分離装置の左前上方斜視図である。
【図８】実施形態の環形動物分離装置が分解された状態における環形動物分離装置の左前下方斜視図である。
【図９】実施形態の支持部の平面図である。
【図１０】実施形態の容器部が分解された状態における容器部の左前上方斜視図である。
【図１１】実施形態の容器部が分解された状態における容器部の左前下方斜視図である。
【図１２】実施形態の容器部の左前上方斜視図である。
【図１３】実施形態の容器部が分解された状態における容器部の左前上方斜視図である。
【図１４】生息床及び臭気発生体が環形動物分離装置に収容された場合における、図４のＶ−Ｖ線により表される平面により切断された環形動物分離装置の断面図である。
【発明を実施するための形態】
【００１３】
以下、本発明の、環形動物分離装置、及び、環形動物分離方法に関する各実施形態について図１乃至図１４を参照しながら説明する。
【００１４】
＜実施形態＞
（概要）
実施形態の環形動物分離装置は、環形動物に生息環境を提供する生息床から環形動物を分離する。
環形動物分離装置は、生息床と、発酵に伴って臭気を発生する臭気発生体と、が収容される生息床収容空間を有する生息床収容部を備える。
生息床収容部は、生息床収容空間と、生息床収容空間の外部と、を連通する、少なくとも１つの第１孔を有する。
生息床収容空間は、少なくとも１つの第１孔を除いて、気体に対して密閉される。
【００１５】
この環形動物分離装置によれば、臭気は、生息床収容空間に充満する。これにより、臭気は、生息床の内部にも拡散する。ところで、環形動物は、発酵に伴って発生する臭気に対して、相当強い忌避反応を示す。従って、環形動物は、第１孔を通って、生息床収容空間の外部へ移動する。この結果、環形動物分離装置によれば、環形動物を生息床から容易に分離できる。
次に、実施形態の環形動物分離装置について、より詳細に説明する。
【００１６】
（構成）
以下、図１乃至図１４に表されるように、ｘ軸、ｙ軸及びｚ軸を有する右手系の直交座標系を用いて、実施形態の環形動物分離装置１を説明する。
【００１７】
環形動物分離装置１は、生息床から環形動物を分離する。
本例では、環形動物は、シマミミズである。なお、環形動物は、シマミミズ以外のミミズであってもよい。また、環形動物は、ミミズ以外のヒル綱又は多毛綱であってもよい。
生息床は、環形動物に生息環境を提供する。本例では、生息床は、土砂である。なお、生息床は、土砂に代えて、又は、土砂に加えて、土砂以外の物質（例えば、有機物、又は、化学物質等）を含んでもよい。例えば、有機物は、動物の糞等である。例えば、化学物質は、合成樹脂からなる、スポンジ、又は、綿等である。また、生息床は、土砂に代えて土を含んでもよい。本例では、生息床は、ミミズ床と表されてもよい。
【００１８】
本例では、ｚ軸方向は、鉛直方向に一致する。また、本明細書においては、ｘ軸方向、ｙ軸方向、及び、ｚ軸方向は、環形動物分離装置１の左右方向、環形動物分離装置１の前後方向、及び、鉛直方向とそれぞれ表されてもよい。また、本明細書においては、ｘ軸の正方向、ｘ軸の負方向、ｙ軸の正方向、ｙ軸の負方向、ｚ軸の正方向、及び、ｚ軸の負方向は、環形動物分離装置１の左方向、環形動物分離装置１の右方向、環形動物分離装置１の後方向、環形動物分離装置１の前方向、鉛直上方向、及び、鉛直下方向とそれぞれ表されてもよい。
【００１９】
先ず、図１乃至図８を参照しながら、環形動物分離装置１について説明する。
図１は、環形動物分離装置１の左方であり、環形動物分離装置１の前方であり、且つ、環形動物分離装置１の鉛直上方である位置から、環形動物分離装置１を見た図（換言すると、左前上方斜視図）である。図２は、環形動物分離装置１の前方から環形動物分離装置１を見た図（換言すると、正面図）である。図３は、環形動物分離装置１の左方から環形動物分離装置１を見た図（換言すると、右側面図）である。図４は、環形動物分離装置１の鉛直上方から環形動物分離装置１を見た図（換言すると、平面図）である。
【００２０】
図５は、図４のＶ−Ｖ線により表される平面により切断された環形動物分離装置１の断面をｙ軸の正方向にて見た図である。図６は、図４のＶＩ−ＶＩ線により表される平面により切断された環形動物分離装置１の断面をｘ軸の負方向にて見た図である。
【００２１】
図７は、環形動物分離装置１が分解された状態において、環形動物分離装置１の左方であり、環形動物分離装置１の前方であり、且つ、環形動物分離装置１の鉛直上方である位置から、環形動物分離装置１を見た図（換言すると、左前上方斜視図）である。
図８は、環形動物分離装置１が分解された状態において、環形動物分離装置１の左方であり、環形動物分離装置１の前方であり、且つ、環形動物分離装置１の鉛直下方である位置から、環形動物分離装置１を見た図（換言すると、左前下方斜視図）である。
【００２２】
図１乃至図４に表されるように、環形動物分離装置１は、ｚ軸方向にて延びる柱体状である。本例では、環形動物分離装置１の底面は、ｘ軸方向にて延びる長辺と、ｙ軸方向にて延びる短辺と、を有する長方形状である。換言すると、環形動物分離装置１は、ｚ軸方向にて延びる四角柱状である。なお、環形動物分離装置１は、四角柱状と異なる形状であってもよい。
【００２３】
図７及び図８に表されるように、環形動物分離装置１は、支持部１０と、漏斗部２０と、トレイ部３０と、蓋部４０と、容器部５０と、を備える。本例では、漏斗部２０、トレイ部３０、蓋部４０、及び、容器部５０は、取り外し可能に支持部１０に取り付けられる。なお、漏斗部２０、トレイ部３０、蓋部４０、及び、容器部５０のうちの少なくとも１つは、支持部１０に固定されていてもよい。
【００２４】
図１乃至図３に表されるように、支持部１０は、底板１１と、複数（本例では、４本）の支柱１２と、支持枠１３と、昇降台１４と、を備える。
底板１１は、ｘ軸方向にて延びる長辺と、ｙ軸方向にて延びる短辺と、を有する長方形状の平板である。なお、底板１１は、長方形状と異なる形状（例えば、円形状、楕円形状、又は、正方形状等）であってもよい。
【００２５】
４本の支柱１２のそれぞれは、ｚ軸方向にて延びる柱体状である。本例では、ｚ軸に直交する平面（換言すると、ｘｙ平面）により切断された各支柱１２の断面は、ｘ軸方向にて延びる辺と、ｙ軸方向にて延びる辺と、を有する正方形状である。換言すると、各支柱１２は、ｚ軸方向にて延びる正四角柱状である。なお、各支柱１２は、正四角柱状と異なる形状であってもよい。４本の支柱１２は、４本の支柱１２のうちの、ｚ軸の負方向における端面が、底板１１の４つの隅部にそれぞれ固定される。
【００２６】
図７乃至図９に表されるように、支持枠１３は、ｚ軸方向にて延びるとともに、ｚ軸方向における両端面にて開口する、中空の柱体状である。図９は、支持部１０の鉛直上方から支持部１０を見た図（換言すると、平面図）である。本例では、ｘｙ平面により切断された支持枠１３の断面の外縁は、底板１１の外縁と同じ形状である。換言すると、支持枠１３は、支持部１０をｚ軸の負方向にて見た場合における支持部１０の外縁に沿って延びる。また、換言すると、支持枠１３は、ｚ軸方向にて延びるとともに、ｚ軸方向における両端面にて開口する、中空の四角柱状である。なお、支持枠１３は、中空の四角柱状と異なる形状であってもよい。
【００２７】
支持枠１３は、４本の支柱１２のうちの、ｚ軸の正方向における端面にて、４本の支柱１２により支持される。本例では、支持枠１３は、４本の支柱１２に固定される。
【００２８】
図５、図６、及び、図９に表されるように、支持枠１３は、第１接触面１３１と、第２接触面１３２と、第３接触面１３３と、を有する。第１接触面１３１、第２接触面１３２、及び、第３接触面１３３のそれぞれは、ｚ軸の正方向に向かって露出する。
【００２９】
図９に表されるように、第１接触面１３１は、支持部１０をｚ軸の負方向にて見た場合において、支持枠１３の外縁を形成する。第２接触面１３２は、支持部１０をｚ軸の負方向にて見た場合において、第１接触面１３１よりも内側にて第１接触面１３１に沿って延びる。第３接触面１３３は、支持部１０をｚ軸の負方向にて見た場合において、第２接触面１３２よりも内側にて第２接触面１３２に沿って延びる。
【００３０】
図５及び図６に表されるように、第１接触面１３１は、支持枠１３のｚ軸方向における中心よりもｚ軸の負方向の位置を有する。第２接触面１３２は、第１接触面１３１よりもｚ軸の正方向の位置を有する。第３接触面１３３は、第２接触面１３２よりもｚ軸の負方向の位置を有する。
【００３１】
本例では、第１接触面１３１、及び、第２接触面１３２のそれぞれは、ｘｙ平面を形成する。本例では、第３接触面１３３は、漏斗部２０のうちの、ｚ軸の正方向における端部と接するように、ｘｙ平面に対して傾斜する。
【００３２】
昇降台１４は、昇降台１４のうちの、ｚ軸の正方向における端面（換言すると、載置面）の、ｚ軸方向における位置を変更可能である。本例では、昇降台１４は、回転の中心軸がｙ軸方向にて延びるように回転可能に支持されるハンドル１４１を備え、ハンドル１４１の回転に伴って、載置面の、ｚ軸方向における位置を変更可能である。なお、昇降台１４は、電力によって駆動されてもよい。
【００３３】
本例では、昇降台１４は、底板１１に載置される。なお、昇降台１４は、底板１１に固定されていてもよい。
また、支持部１０は、キャスター等の車輪を備え、水平方向にて移動可能であってもよい。
【００３４】
図５乃至図８に表されるように、漏斗部２０は、本体２１と、延出部２２と、受面部２３と、を備える。
本体２１は、ｚ軸方向にて延びるとともに、ｚ軸方向における両端面にて開口する、中空の立体状である。ｘｙ平面により切断された、本体２１の内部空間の断面積は、当該ｘｙ平面のｚ軸方向における位置がｚ軸の負方向にて移動するにつれて小さくなる。換言すると、本体２１の内部空間は、ｚ軸の負方向にて先細形状を有する。
【００３５】
本例では、本体２１は、ｘ軸方向にて延びる直線を含む一対の平面をそれぞれ形成する一対の第１平板２１１と、ｙ軸方向にて延びる直線を含む一対の平面をそれぞれ形成する一対の第２平板２１２と、からなる。一対の第１平板２１１がそれぞれ形成する一対の平面と、一対の第２平板２１２がそれぞれ形成する一対の平面と、は、本体２１の内部空間を形成する。
【００３６】
本体２１のうちの、ｚ軸の正方向における端面の開口は、ｘ軸方向にて延びる長辺と、ｙ軸方向にて延びる短辺と、を有する長方形状である。本例では、本体２１のうちの、ｚ軸の正方向における端面の開口は、後述する第１トレイ３１の底面よりも大きい。
【００３７】
本体２１のうちの、ｚ軸の負方向における端面の開口は、ｘ軸方向にて延びる辺と、ｙ軸方向にて延びる辺と、を有する正方形状である。本例では、本体２１のうちの、ｚ軸の負方向における端面の開口は、本体２１のうちの、ｚ軸の正方向における端面の開口よりも小さい。
【００３８】
図５及び図６に表されるように、一対の第１平板２１１は、ｘｙ平面（本例では、水平面）に対して、第１傾斜角θ１だけ傾斜する。一対の第２平板２１２は、ｘｙ平面に対して、第２傾斜角θ２だけ傾斜する。第１傾斜角θ１、及び、第２傾斜角θ２のそれぞれは、５０度以上であり且つ１８０度よりも小さい。
【００３９】
ところで、環形動物は、水平面に対して、５０度よりも小さい傾斜角だけ傾斜する斜面に滞留しやすい。換言すると、環形動物は、水平面に対して、５０度以上であり且つ１８０度よりも小さい傾斜角だけ傾斜する斜面に滞留しにくい。従って、第１傾斜角θ１、及び、第２傾斜角θ２は、５０度以上であり且つ１８０度よりも小さいことが好適である。
【００４０】
更に、環形動物は、水平面に対して、６０度以上であり且つ１８０度よりも小さい傾斜角だけ傾斜する斜面に、より一層滞留しにくい。従って、第１傾斜角θ１、及び、第２傾斜角θ２は、６０度以上であり且つ１８０度よりも小さいことがより一層好適である。
【００４１】
また、第１傾斜角θ１、及び、第２傾斜角θ２が９０度以上であり且つ１８０度よりも小さい場合、本体２１のうちの、ｚ軸の負方向における端面の開口は、本体２１のうちの、ｚ軸の正方向における端面における開口よりも大きくなる。従って、第１傾斜角θ１、及び、第２傾斜角θ２が９０度よりも小さいことが好適である。
【００４２】
従って、本例では、第１傾斜角θ１、及び、第２傾斜角θ２は、６０度以上であり且つ９０度よりも小さい。本例では、第２傾斜角θ２は、６０度である。本例では、第１傾斜角θ１は、第２傾斜角θ２よりも大きい。
なお、本体２１は、ｚ軸方向にて延びる、中空の円錐台状、又は、中空の角錐台状であってもよい。
【００４３】
本体２１は、透光性を有しない。例えば、本体２１は、木質材料、金属、又は、樹脂からなる。
また、本体２１の内壁面は、環形動物が滑り落ちやすくなるように、円滑であることが好適である。本例では、内壁面は、内部空間を形成する壁面である。例えば、表面が円滑でない材料が本体２１の基材として用いられる場合、本体２１は、本体２１の内壁面を構成する被覆材を基材上に備えることが好適である。例えば、被覆材は、ポリプロピレンシート等の樹脂製シートである。また、本体２１の内壁面には、環形動物が滑り落ちやすくなるように、潤滑油が塗布されてもよい。
【００４４】
延出部２２は、ｚ軸方向にて延びるとともに、ｚ軸方向における両端面にて開口する、中空の柱体状である。本例では、ｘｙ平面により切断された延出部２２の断面は、正方形状である。換言すると、延出部２２は、ｚ軸方向にて延びるとともに、ｚ軸方向における両端面にて開口する、中空の正四角柱状である。なお、ｘｙ平面により切断された延出部２２の断面は、正方形状と異なる形状（例えば、円形状、又は、長方形状等）であってもよい。
【００４５】
本例では、延出部２２は、ｘ軸に直交する一対の平面、及び、ｙ軸に直交する一対の平面をそれぞれ形成する４枚の平板からなる。４枚の平板がそれぞれ形成する、ｘ軸に直交する一対の平面、及び、ｙ軸に直交する一対の平面は、延出部２２の内部空間を形成する。
【００４６】
延出部２２のうちの、ｚ軸の正方向における端面の開口は、ｘ軸方向にて延びる辺と、ｙ軸方向にて延びる辺と、を有する正方形状である。本例では、延出部２２のうちの、ｚ軸の正方向における端面の開口は、本体２１のうちの、ｚ軸の負方向における端面の開口と同じ形状を有する。
【００４７】
本例では、延出部２２のうちの、ｚ軸の負方向における端面の開口は、延出部２２のうちの、ｚ軸の正方向における端面の開口と同じ形状を有する。なお、延出部２２のうちの、ｚ軸の負方向における端面の開口は、延出部２２のうちの、ｚ軸の正方向における端面の開口と異なる形状を有してもよい。
【００４８】
延出部２２の各平板は、ｘｙ平面（本例では、水平面）に対して、第３傾斜角θ３だけ傾斜する。第３傾斜角θ３は、５０度以上であり且つ１８０度よりも小さい。本例では、第３傾斜角θ３は、９０度である。
なお、延出部２２の内部空間は、ｚ軸の負方向にて先細形状を有していてもよい。この場合、第３傾斜角θ３は、９０度よりも小さい。
【００４９】
延出部２２は、透光性（本例では、透明性）を有する。例えば、延出部２２は、ガラス、又は、樹脂からなる。
また、延出部２２の内壁面は、環形動物が滑り落ちやすくなるように、円滑であることが好適である。例えば、表面が円滑でない材料が延出部２２の基材として用いられる場合、延出部２２は、延出部２２の内壁面を構成する被覆材を基材上に備えることが好適である。例えば、被覆材は、ポリプロピレンシート等の樹脂製シートである。また、延出部２２の内壁面には、環形動物が滑り落ちやすくなるように、潤滑油が塗布されてもよい。
【００５０】
なお、漏斗部２０は、本体２１のうちの少なくとも一部が透光性（例えば、透明性）を有してもよい。この場合、延出部２２は、透光性を有していなくてもよい。
【００５１】
受面部２３は、ｚ軸方向にて延びるとともに、ｚ軸方向における両端面にて開口する、中空の柱体状である。本例では、ｘｙ平面により切断された受面部２３の断面は、正方形状である。換言すると、受面部２３は、ｚ軸方向にて延びるとともに、ｚ軸方向における両端面にて開口する、中空の正四角柱状である。なお、ｘｙ平面により切断された受面部２３の断面は、正方形状と異なる形状（例えば、円形状、又は、長方形状等）であってもよい。
【００５２】
受面部２３の内壁面は、延出部２２の外壁面と接する。受面部２３のｚ軸方向における長さは、延出部２２のｚ軸方向における長さよりも短い。受面部２３は、延出部２２のうちの、ｚ軸の正方向における端部にて、延出部２２に固定される。
【００５３】
図５乃至図８に表されるように、トレイ部３０は、第１トレイ３１と、第２トレイ３２と、を備える。
第１トレイ３１は、ｚ軸方向にて延びるとともに、ｚ軸の正方向における端面にて開口する、有底且つ中空の柱体状である。本例では、ｘｙ平面により切断された第１トレイ３１の断面は、ｘ軸方向にて延びる長辺と、ｙ軸方向にて延びる短辺と、を有する長方形状である。換言すると、第１トレイ３１は、ｚ軸方向にて延びるとともに、ｚ軸の正方向における端面にて開口する、有底且つ中空の四角柱状である。なお、第１トレイ３１は、有底且つ中空の四角柱状と異なる形状（例えば、円柱状等）であってもよい。
【００５４】
図５及び図６に表されるように、第１トレイ３１は、底面３１１と、複数の孔３１２と、縁部３１３と、を備える。
底面３１１は、第１トレイ３１のうちの、ｚ軸の負方向における端面を構成する。底面３１１は、本体２１のうちの、ｚ軸の正方向における端面の開口よりも僅かに小さい。底面３１１の外縁は、本体２１のうちの、ｚ軸の正方向における端部にて、本体２１の内壁面に接する。
【００５５】
底面３１１の外縁は、底面３１１の外縁が、本体２１の内壁面に接する位置を含むｘｙ平面により切断された本体２１の断面における当該内壁面の形状と同じ形状を有する。換言すると、底面３１１の外縁は、底面３１１の外縁の全体に亘って、本体２１の内壁面に接する。従って、底面３１１は、本体２１の内部空間を分割する。
【００５６】
本例では、底面３１１と、本体２１の内壁面と、延出部２２の内壁面と、により形成される空間は、接続空間ＳＰＣに対応する。
本例では、本体２１のうちの、第１トレイ３１と接する位置よりもｚ軸の負方向の部分と、延出部２２と、は、接続空間ＳＰＣを形成する壁に対応する。
本例では、延出部２２のうちの、ｚ軸の負方向における端面の開口は、接続空間ＳＰＣと、接続空間ＳＰＣの外部と、を連通するとともに、接続空間ＳＰＣが第１トレイ３１と接する面積よりも小さい開口に対応する。
【００５７】
複数の孔３１２のそれぞれは、底面３１１にて開口するとともに、第１トレイ３１の内部空間と第１トレイ３１の外部とを連通する。本例では、複数の孔３１２は、格子状に位置する。本例では、各孔３１２は、円柱状である。なお、各孔３１２は、円柱状と異なる形状（例えば、角柱状等）であってもよい。例えば、各孔３１２の直径は、１ｍｍ乃至５ｍｍである。
【００５８】
ところで、孔３１２の大きさが比較的大きい場合、孔３１２を通過した環形動物に付着する、生息床を構成する物質の量が多くなりやすい。この場合、生息床を構成する物質を環形動物から除去するためには、環形動物を洗浄しなければならない。
【００５９】
そこで、本例では、孔３１２は、環形動物が孔３１２を通過可能であるとともに、環形動物の通過に伴って生息床を構成する物質が孔３１２を通過不能である大きさを有する。例えば、環形動物がシマミミズである場合、各孔３１２の直径は、２ｍｍ乃至３ｍｍであることが好適である。このように、孔３１２の大きさは、環形動物の大きさに応じて設定されることが好適である。
【００６０】
従って、環形動物分離装置１によれば、孔３１２を通過した環形動物に付着する、生息床を構成する物質の量を十分に少なくすることができる。この結果、環形動物を洗浄することなく、生息床を構成する物質を環形動物から除去できる。
なお、第１トレイ３１が有する孔３１２の数は、１つであってもよい。
【００６１】
縁部３１３は、ｘｙ平面に沿って延びる平板状である。縁部３１３は、第１トレイ３１のうちの、ｚ軸の正方向における端部において、第１トレイ３１の内部空間から遠ざかる方向（換言すると、第１トレイ３１の外方向）にて、第１トレイ３１の外壁面から延出する。縁部３１３は、第１トレイ３１の外縁に沿って延びる。本例では、縁部３１３のうちの、ｚ軸の負方向における端面の外縁部は、当該外縁部の全体に亘って、第２接触面１３２に接する。
【００６２】
第２トレイ３２は、ｚ軸方向にて延びるとともに、ｚ軸の正方向における端面にて開口する、有底且つ中空の柱体状である。本例では、ｘｙ平面により切断された第２トレイ３２の断面は、ｘ軸方向にて延びる長辺と、ｙ軸方向にて延びる短辺と、を有する長方形状である。換言すると、第２トレイ３２は、ｚ軸方向にて延びるとともに、ｚ軸の正方向における端面にて開口する、有底且つ中空の四角柱状である。なお、第２トレイ３２は、有底且つ中空の四角柱状と異なる形状（例えば、円柱状等）であってもよい。
【００６３】
図５及び図６に表されるように、第２トレイ３２のｚ軸方向における長さ（換言すると、第２トレイ３２の高さ、又は、深さ）は、第１トレイ３１のｚ軸方向における長さよりも短い。本例では、第２トレイ３２の高さは、第１トレイ３１の高さの半分よりも低い。
【００６４】
第２トレイ３２は、底面３２１と、複数の孔３２２と、縁部３２３と、を備える。
底面３２１は、第２トレイ３２のうちの、ｚ軸の負方向における端面を構成する。底面３２１は、第１トレイ３１の内壁面のうちの、ｚ軸の負方向における端よりもｚ軸の正方向の位置を有する。底面３２１の外縁は、第１トレイ３１のうちの、ｚ軸の正方向における端部にて、第１トレイ３１の内壁面に接する。
【００６５】
底面３２１の外縁は、底面３２１の外縁が、第１トレイ３１の内壁面に接する位置を含むｘｙ平面により切断された第１トレイ３１の断面における当該内壁面の形状と同じ形状を有する。換言すると、底面３２１の外縁は、底面３２１の外縁の全体に亘って、第１トレイ３１の内壁面に接する。従って、底面３２１は、第１トレイ３１の内部空間を分割する。換言すると、第２トレイ３２の少なくとも一部は、第１トレイ３１の内部空間に収容される。
【００６６】
複数の孔３２２のそれぞれは、底面３２１にて開口するとともに、第２トレイ３２の内部空間と第２トレイ３２の外部（本例では、第１トレイ３１の内部空間）とを連通する。本例では、複数の孔３２２は、格子状に位置する。本例では、各孔３２２は、円柱状である。なお、各孔３２２は、円柱状と異なる形状（例えば、角柱状等）であってもよい。例えば、各孔３２２の直径は、０．１ｍｍ乃至３ｍｍである。
【００６７】
ところで、孔３２２の大きさは、環形動物が孔３２２を通過不能であるとともに気体が通過可能であることが好適である。このため、孔３２２の大きさは、環形動物の大きさに応じて設定されることが好適である。例えば、環形動物がシマミミズである場合、各孔３２２の直径は、０．１ｍｍ乃至２ｍｍであることが好適である。
なお、第２トレイ３２が有する孔３２２の数は、１つであってもよい。
【００６８】
縁部３２３は、ｘｙ平面に沿って延びる平板状である。縁部３２３は、第２トレイ３２のうちの、ｚ軸の正方向における端部において、第２トレイ３２の内部空間から遠ざかる方向（換言すると、第２トレイ３２の外方向）にて、第２トレイ３２の外壁面から延出する。縁部３２３は、第２トレイ３２の外縁に沿って延びる。本例では、縁部３２３のうちの、ｚ軸の負方向における端面は、当該端面の全体に亘って、縁部３１３のうちの、ｚ軸の正方向における端面に接する。換言すると、第２トレイ３２は、第１トレイ３１に積み重ね可能である。
【００６９】
図１、及び、図５乃至図８に表されるように、蓋部４０は、本体４１と、温度制御部４２と、開閉部４３と、を備える。
本体４１は、ｚ軸方向にて延びるとともに、ｚ軸方向における両端面にて開口する、中空の柱体状である。本例では、ｘｙ平面により切断された本体４１の断面の外縁は、底板１１の外縁と同じ形状である。換言すると、本体４１は、支持部１０をｚ軸の負方向にて見た場合における支持部１０の外縁に沿って延びる。また、換言すると、本体４１は、ｚ軸方向にて延びるとともに、ｚ軸方向における両端面にて開口する、中空の四角柱状である。なお、本体４１は、中空の四角柱状と異なる形状（例えば、円柱状等）であってもよい。
【００７０】
本体４１のうちの、ｚ軸の負方向における端面は、当該端面のうちの開口以外の部分の全体に亘って、第１接触面１３１に接する。また、本体４１の内壁面は、縁部３２３のうちの、ｚ軸の正方向における端面の全体に亘って、当該端面に接する。
【００７１】
温度制御部４２は、ｘｙ平面に沿って延びる平板状である。温度制御部４２のｚ軸方向にて延びる側壁面は、本体４１のうちの、ｚ軸の正方向における端部にて、本体４１の内壁面に接する。温度制御部４２のｚ軸方向にて延びる側壁面は、当該側壁面が、本体４１の内壁面に接する位置を含むｘｙ平面により切断された本体４１の断面における当該内壁面の形状と同じ形状を有する。換言すると、温度制御部４２のｚ軸方向にて延びる側壁面は、当該側壁面の全体に亘って、本体４１の内壁面に接する。従って、温度制御部４２は、本体４１の内部空間をｚ軸方向にて分割する。
【００７２】
本例では、ｘｙ平面により切断された温度制御部４２の断面は、ｘｙ平面により切断された第２トレイ３２の断面における、第２トレイ３２のうちの、ｚ軸の正方向における端面の開口と同じ形状である。
本例では、温度制御部４２は、本体４１に固定される。なお、温度制御部４２は、本体４１に取り外し可能に取り付けられてもよい。
【００７３】
温度制御部４２は、熱を発生するヒーターを備える。本例では、温度制御部４２は、本体４１の内部空間にて、後述する臭気発生体の温度を検出する、図示されない温度センサを備える。また、本例では、温度制御部４２は、ヒーターの温度を制御する、図示されない制御器を備える。なお、温度制御部４２は、温度センサによって検出された温度に基づいてヒーターの温度が制御されてよい。なお、温度制御部４２は、温度センサ、及び、制御器を備えなくてもよい。また、蓋部４０は、温度制御部４２を備えなくてもよい。
【００７４】
開閉部４３は、ｘｙ平面に沿って延びる平板状である。開閉部４３は、温度制御部４２のうちの、ｚ軸の正方向における端面を被覆する。開閉部４３は、温度制御部４２の少なくとも一部を蓋部４０の外部に露出させる状態（換言すると、開状態）と、温度制御部４２を蓋部４０の外部に露出させない（本例では、温度制御部４２のうちの、ｚ軸の正方向における端面の全体を被覆する）状態（換言すると、閉状態）と、の間で開閉部４３の状態が切り替わる。本例では、開閉部４３は、本体４１に対してｘ軸方向にて摺動することにより、開状態と閉状態との間で開閉部４３の状態が切り替わる。
【００７５】
本例では、開閉部４３は、本体４１に対して取り外し可能に取り付けられる。なお、開閉部４３は、本体４１に対して取り外し不能に取り付けられていてもよい。また、開閉部４３は、摺動と異なる機構（例えば、ヒンジ機構等）を用いて、開状態と閉状態との間で開閉部４３の状態が切り替わってもよい。また、蓋部４０は、開閉部４３を備えなくてもよい。
【００７６】
本例では、第２トレイ３２のうちの、ｚ軸の負方向における端面と、第１トレイ３１の内壁面と、により形成される空間は、第１トレイ収容空間ＳＰ１に対応する。第１トレイ収容空間ＳＰ１には、生息床が収容される。
【００７７】
また、本例では、温度制御部４２のうちの、ｚ軸の負方向における端面と、第２トレイ３２の内壁面と、により形成される空間は、第２トレイ収容空間ＳＰ２に対応する。第２トレイ収容空間ＳＰ２には、発酵に伴って臭気を発生する臭気発生体が収容される。
【００７８】
本例では、開閉部４３の状態が開状態である場合、第２トレイ収容空間ＳＰ２の熱は、温度制御部４２を介して環形動物分離装置１の外部へ移動しやすい。一方、開閉部４３の状態が閉状態である場合、第２トレイ収容空間ＳＰ２の熱は、温度制御部４２を介して環形動物分離装置１の外部へ移動しにくい。従って、本例では、第２トレイ収容空間ＳＰ２の温度（例えば、後述するように、第２トレイ収容空間ＳＰ２に収容される臭気発生体の温度）を制御するために、開閉部４３の状態が変更される。
【００７９】
本例では、第１トレイ収容空間ＳＰ１、及び、第２トレイ収容空間ＳＰ２は、生息床と、発酵に伴って臭気を発生する臭気発生体と、が収容される生息床収容空間に対応する。本例では、各孔３１２は、生息床収容空間と、生息床収容空間の外部と、を連通する第１孔に対応する。本例では、トレイ部３０、及び、蓋部４０は、生息床収容空間を有する生息床収容部に対応する。
【００８０】
本例では、漏斗部２０は、各孔３１２を介して生息床収容空間に連接する接続空間ＳＰＣを形成するように生息床収容部に接続される接続部に対応する。
本例では、温度制御部４２は、第２トレイ収容空間ＳＰ２の温度を制御する温度制御部に対応する。
【００８１】
図５乃至図８、図１０、及び、図１１に表されるように、容器部５０は、支持底５１と、本体５２と、被覆部５３と、容器枠５４と、容器蓋部５５と、連通管５６と、を備える。
【００８２】
図１０は、容器部５０が分解された状態において、容器部５０の左方であり、容器部５０の前方であり、且つ、容器部５０の鉛直上方である位置から、容器部５０を見た図（換言すると、左前上方斜視図）である。
図１１は、容器部５０が分解された状態において、容器部５０の左方であり、容器部５０の前方であり、且つ、容器部５０の鉛直下方である位置から、容器部５０を見た図（換言すると、左前下方斜視図）である。
【００８３】
図１０及び図１１に表されるように、支持底５１は、ｚ軸方向にて延びるとともに、ｚ軸の正方向における端面にて開口する、有底且つ中空の柱体状である。本例では、ｘｙ平面により切断された支持底５１の断面は、ｘ軸方向にて延びる辺と、ｙ軸方向にて延びる辺と、を有する正方形状である。換言すると、支持底５１は、ｚ軸方向にて延びるとともに、ｚ軸の正方向における端面にて開口する、有底且つ中空の正四角柱状である。なお、支持底５１は、有底且つ中空の正四角柱状と異なる形状（例えば、円柱状等）であってもよい。
【００８４】
支持底５１のうちの、ｚ軸の負方向における端面は、昇降台１４の載置面に接する。本例では、支持底５１は、昇降台１４の載置面に載置される。
支持底５１は、底板５１１と、第１係合部５１２と、係止部５１３と、を備える。
底板５１１は、支持底５１のうちの、ｚ軸の負方向における端部を構成する。
【００８５】
第１係合部５１２は、Ｌ字状の棒状である。第１係合部５１２の断面は、正方形状である。なお、第１係合部５１２の断面は、正方形状と異なる形状（例えば、楕円形状、又は、円形状等）であってもよい。第１係合部５１２は、ｘｙ平面に沿って、支持底５１の内部空間から遠ざかる方向（換言すると、支持底５１の外方向）にて、支持底５１の外壁面から延出する第１部分と、当該第１部分の先端部からｚ軸の正方向にて延出する第２部分と、を有する。本例では、第１係合部５１２は、支持底５１の４つの隅部のうちの１つの隅部から延出する。
【００８６】
本例では、第１係合部５１２は、容器部５０を支持部１０及び漏斗部２０から取り外す場合、容器部５０を支持部１０及び漏斗部２０に取り付ける場合、及び、容器部５０を移動させる場合等において、環形動物分離装置１のユーザが容器部５０を持つために用いられる。
【００８７】
係止部５１３は、第１係合部５１２のうちの、ｚ軸の正方向における端部にて、ｘｙ平面により切断された第１係合部５１２の断面を拡大するように、第１係合部５１２の壁面から突出する。
本例では、支持底５１は、透光性を有しない。例えば、支持底５１は、木質材料、金属、又は、樹脂からなる。
【００８８】
本体５２は、ｚ軸方向にて延びるとともに、ｚ軸の正方向における端面にて開口する、有底且つ中空の柱体状である。本例では、ｘｙ平面により切断された本体５２の断面は、ｘ軸方向にて延びる辺と、ｙ軸方向にて延びる辺と、を有する正方形状である。換言すると、本体５２は、ｚ軸方向にて延びるとともに、ｚ軸の正方向における端面にて開口する、有底且つ中空の正四角柱状である。なお、本体５２は、有底且つ中空の正四角柱状と異なる形状（例えば、円柱状等）であってもよい。
【００８９】
本体５２のうちの、ｚ軸の負方向における端面は、底板５１１のうちの、ｚ軸の正方向における端面に接する。換言すると、本体５２は、底板５１１に載置される。なお、本体５２は、支持底５１に固定されていてもよい。また、支持底５１と本体５２とは、一体であってもよい。
本例では、本体５２は、透光性（本例では、透明性）を有する。例えば、本体５２は、ガラス、又は、樹脂からなる。
【００９０】
ところで、後述するように、本体５２には、環形動物が収容される。収容される環形動物の数に対して、本体５２の底面積が過度に狭い場合、環形動物が過度に密集するため、環形動物に対して過大なストレスが与えられる虞がある。このため、本体５２の底面積は、収容される環形動物の数に対して十分に広いことが好適である。
【００９１】
また、本体５２に収容された異物を除去する作業等を行う際、本体５２のうちの、ｚ軸の正方向における端面の開口が過度に小さい場合、当該作業が困難になりやすい。このため、本体５２のうちの、ｚ軸の正方向における端面の開口は、十分に大きいことが好適である。
【００９２】
被覆部５３は、本体５２の外壁面の少なくとも一部（本例では、本体５２の外壁面のうちの、支持底５１、容器枠５４、及び、容器蓋部５５によって被覆されない部分の全体）を被覆する。被覆部５３は、取り外し可能に本体５２に取り付けられる。例えば、被覆部５３は、本体５２に対してｚ軸方向にて摺動することにより、本体５２から取り外される。なお、被覆部５３は、周方向において分離することにより、本体５２から取り外されてもよい。
【００９３】
被覆部５３は、透光性を有しない。本例では、被覆部５３は、繊維（例えば、フランネル等）からなる。なお、被覆部５３は、繊維以外の材料（例えば、木質材料、金属、又は、樹脂等）からなっていてもよい。
【００９４】
容器枠５４は、ｚ軸方向にて延びるとともに、ｚ軸方向における両端面にて開口する、中空の柱体状である。本例では、ｘｙ平面により切断された容器枠５４の断面は、ｘ軸方向にて延びる辺と、ｙ軸方向にて延びる辺と、を有する正方形状である。換言すると、容器枠５４は、ｚ軸方向にて延びるとともに、ｚ軸の正方向における端面にて開口する、有底且つ中空の正四角柱状である。なお、容器枠５４は、有底且つ中空の正四角柱状と異なる形状（例えば、円柱状等）であってもよい。
【００９５】
ｘｙ平面により切断された容器部５０の断面において、容器枠５４の内壁面は、本体５２の外壁面と同じ形状を有する。換言すると、容器枠５４の内壁面は、当該内壁面の全体に亘って、本体５２の外壁面に接する。
【００９６】
更に、容器枠５４は、第２係合部５４１を備える。
第２係合部５４１は、棒状である。第２係合部５４１の断面は、正方形状である。なお、第２係合部５４１の断面は、正方形状と異なる形状（例えば、楕円形状、又は、円形状等）であってもよい。第２係合部５４１は、ｘｙ平面に沿って、容器枠５４の内部空間から遠ざかる方向（換言すると、容器枠５４の外方向）にて、容器枠５４の外壁面から延出する第１部分と、当該第１部分の先端部においてｚ軸方向にて貫通する孔と、を有する。本例では、第２係合部５４１は、容器枠５４の４つの隅部のうちの１つの隅部から延出する。
【００９７】
ｘｙ平面により切断された容器部５０の断面において、第２係合部５４１が有する孔は、第１係合部５１２よりも僅かに大きく、且つ、係止部５１３よりも小さい。第１係合部５１２のうちの、係止部５１３よりもｚ軸の正方向の部分の一部は、第２係合部５４１が有する孔に収容される。本例では、第２係合部５４１のうちの、ｚ軸の負方向における端面は、係止部５１３のうちの、ｚ軸の正方向における端面に接する。
【００９８】
容器枠５４は、取り外し可能に支持底５１及び本体５２に取り付けられる。本例では、容器枠５４は、支持底５１及び本体５２に対してｚ軸方向にて摺動することにより、支持底５１及び本体５２から取り外される。
本例では、容器枠５４は、透光性を有しない。例えば、容器枠５４は、木質材料、金属、又は、樹脂からなる。
【００９９】
図１０及び図１１に表されるように、容器蓋部５５は、ｚ軸方向にて延びるとともに、ｚ軸の負方向における端面にて開口する、有底且つ中空の柱体状である。本例では、ｘｙ平面により切断された容器蓋部５５の断面は、ｘ軸方向にて延びる辺と、ｙ軸方向にて延びる辺と、を有する正方形状である。換言すると、容器蓋部５５は、ｚ軸方向にて延びるとともに、ｚ軸の負方向における端面にて開口する、有底且つ中空の正四角柱状である。なお、容器蓋部５５は、有底且つ中空の正四角柱状と異なる形状（例えば、円柱状等）であってもよい。
【０１００】
ｘｙ平面により切断された容器部５０の断面において、容器蓋部５５の内部空間を形成するとともにｚ軸に沿って延びる側壁面は、本体５２の外壁面と同じ形状を有する。換言すると、容器蓋部５５の内部空間を形成するとともにｚ軸に沿って延びる側壁面は、当該側壁面の全体に亘って、本体５２の外壁面に接する。
【０１０１】
容器蓋部５５は、底板５５１と、開口５５２と、孔５５３と、を有する。本例では、底板５５１は、容器部５０のうちの、ｚ軸の正方向における端部を構成するから、天板５５１と表されてもよい。
【０１０２】
底板５５１は、容器蓋部５５のうちの、ｚ軸の正方向における端部を構成する。底板５５１のうちの、ｚ軸の負方向における端面は、本体５２のうちの、ｚ軸の正方向における端面のうちの開口以外の部分の全体に亘って、当該部分に接する。底板５５１のうちの、ｚ軸の正方向における端面は、受面部２３のうちの、ｚ軸の負方向における端面のうちの開口以外の部分の全体に亘って、当該部分に接する。
【０１０３】
開口５５２は、底板５５１のうちの、ｚ軸の正方向における端面にて開口するとともに、容器蓋部５５の内部空間と容器蓋部５５の外部とを連通する。
【０１０４】
開口５５２は、ｘ軸方向にて延びる辺と、ｙ軸方向にて延びる辺と、を有する正方形状である。本例では、ｘｙ平面により切断された環形動物分離装置１の断面において、開口５５２を形成する壁面は、延出部２２の外壁面と同じ形状を有する。換言すると、開口５５２を形成するととにｚ軸方向にて延びる側壁面は、当該側壁面の全体に亘って、延出部２２の外壁面に接する。
【０１０５】
本例では、延出部２２は、開口５５２を通って底板５５１を貫通する。換言すると、延出部２２のうちの、受面部２３よりもｚ軸の負方向の部分は、本体５２の内部空間に収容される。
【０１０６】
本例では、本体５２の内壁面と、底板５５１のうちの、ｚ軸の負方向における端面と、延出部２２の外壁面と、により形成される空間は、環形動物収容空間ＳＰＡに対応する。環形動物収容空間ＳＰＡには、環形動物が収容される。
【０１０７】
孔５５３は、底板５５１のうちの、ｚ軸の正方向における端面にて開口するとともに、容器蓋部５５の内部空間と容器蓋部５５の外部とを連通する。孔５５３は、底板５５１のうちの、底板５５１が受面部２３に接する領域以外の位置を有する。
本例では、容器蓋部５５は、透光性を有しない。例えば、容器蓋部５５は、木質材料、金属、又は、樹脂からなる。
【０１０８】
連通管５６は、Ｌ字状の管である。なお、連通管５６は、直線状であってもよい。また、連通管５６は、湾曲していてもよい。
本例では、連通管５６の断面は、円形状である。なお、連通管５６の断面は、円形状と異なる形状（例えば、楕円形状、正方形状、又は、長方形状等）であってもよい。
【０１０９】
本例では、連通管５６は、ｚ軸方向にて延びる第１部分と、当該第１部分のうちの、ｚ軸の正方向における端部からｘｙ平面に沿って延びる第２部分と、を有する。連通管５６の第１部分は、孔５５３を通って底板５５１を貫通する。連通管５６の断面は、孔５５３と同じ形状を有する。従って、連通管５６の第１部分の外壁面は、容器蓋部５５のうちの、孔５５３を形成する壁面の全体に亘って、当該壁面に接する。
連通管５６の内部空間は、環形動物収容空間ＳＰＡと、環形動物収容空間ＳＰＡの外部と、を連通する。
【０１１０】
連通管５６は、容器蓋部５５に対して、ｚ軸方向にて摺動することにより、ｚ軸方向にて、連通管５６の容器蓋部５５に対する位置を変更可能である。本例では、連通管５６は、取り外し可能に容器蓋部５５に取り付けられる。本例では、連通管５６は、容器蓋部５５に対してｚ軸方向にて摺動することにより、容器蓋部５５から取り外される。なお、容器部５０は、連通管５６を備えなくてもよい。
【０１１１】
容器部５０は、取り外し可能に漏斗部２０に接続される。本例では、容器部５０は、延出部２２に対してｚ軸方向にて摺動することにより、漏斗部２０から取り外される。
本例では、容器部５０は、延出部２２のうちの、ｚ軸の負方向における端面の開口を介して接続空間ＳＰＣに連接する環形動物収容空間ＳＰＡを形成するように漏斗部２０に接続される環形動物収容部に対応する。本例では、連通管５６の内部空間は、環形動物収容空間ＳＰＡと、環形動物収容空間ＳＰＡの外部と、を連通する第２孔に対応する。また、本例では、連通管５６のうちの、本体５２の内部空間に収容される部分は、第２孔を形成するとともに、環形動物収容空間ＳＰＡに突出する壁に対応する。
【０１１２】
本例では、第１トレイ収容空間ＳＰ１、第２トレイ収容空間ＳＰ２、及び、環形動物収容空間ＳＰＡのそれぞれは、複数の構成部が取り外し可能に取り付けられることにより形成される。このため、第１トレイ収容空間ＳＰ１、第２トレイ収容空間ＳＰ２、及び、環形動物収容空間ＳＰＡのそれぞれを形成する構成部間に隙間が生じる虞がある。
【０１１３】
そこで、本例では、環形動物分離装置１は、第１トレイ収容空間ＳＰ１、第２トレイ収容空間ＳＰ２、及び、環形動物収容空間ＳＰＡのそれぞれを形成する構成部間の隙間を埋めることにより当該空間を気体に対して密閉する、図示されないシール部材を備える。
例えば、シール部材は、エラストマー、又は、ゴム（例えば、エチレンプロピレンジエンゴム等）等の弾性体を含む。本例では、シール部材は、シート状である。
【０１１４】
本例では、シール部材は、受面部２３と容器蓋部５５との間、容器部５０の本体５２と容器蓋部５５との間、第１トレイ３１と漏斗部２０の本体２１との間、第２トレイ３２と第１トレイ３１との間、及び、蓋部４０の本体４１と第２トレイ３２との間、のそれぞれに設けられる（例えば、貼付される）。なお、シール部材は、漏斗部２０の本体２１と支持部１０の支持枠１３との間、蓋部４０の本体４１と支持部１０の支持枠１３との間、及び、第１トレイ３１と支持部１０の支持枠１３との間のそれぞれに設けられてもよい。
【０１１５】
また、本例では、シール部材は、互いに接する２つの構成部のうちの一方に設けられる。なお、シール部材は、互いに接する２つの構成部の両方に設けられてもよい。
また、互いに接する２つの構成部の間に隙間が存在しない場合には、シール部材は、省略されてもよい。
【０１１６】
このようにして、本例では、第１トレイ収容空間ＳＰ１、及び、第２トレイ収容空間ＳＰ２からなる空間は、第１トレイ３１が有する複数の孔３１２を除いて、気体に対して密閉される。また、第１トレイ収容空間ＳＰ１、第２トレイ収容空間ＳＰ２、及び、接続空間ＳＰＣからなる空間は、延出部２２のうちの、ｚ軸の負方向における端面の開口を除いて、気体に対して密閉される。また、第１トレイ収容空間ＳＰ１、第２トレイ収容空間ＳＰ２、接続空間ＳＰＣ、及び、環形動物収容空間ＳＰＡからなる空間は、連通管５６の内部空間を除いて、気体に対して密閉される。
【０１１７】
本例では、上述した容器部５０の態様は、第１態様と表される。本例では、第１態様の容器部５０は、環形動物を生息床から分離する場合に使用される。また、容器部５０に収容された液体を容器部５０の外部へ排出する場合、第１態様の容器部５０に代えて、図１２及び図１３に表される第２態様の容器部５０Ａが使用される。第２態様の容器部５０Ａは、支持部１０及び漏斗部２０から取り外された状態にて使用される。
【０１１８】
図１２は、容器部５０Ａの左方であり、容器部５０Ａの前方であり、且つ、容器部５０Ａの鉛直上方である位置から、容器部５０Ａを見た図（換言すると、左前上方斜視図）である。図１３は、容器部５０Ａが分解された状態において、容器部５０Ａの左方であり、容器部５０Ａの前方であり、且つ、容器部５０Ａの鉛直上方である位置から、容器部５０Ａを見た図（換言すると、左前上方斜視図）である。
【０１１９】
図１２及び図１３に表されるように、第２態様の容器部５０Ａは、被覆部５３、容器蓋部５５、及び、連通管５６に代えて、フィルタ５７を備える。
【０１２０】
フィルタ５７は、網（換言すると、メッシュ）である。本例では、網は、樹脂（例えば、ポリエチレン等）からなる。なお、網は、繊維、又は、金属等からなっていてもよい。フィルタ５７は、環形動物が通過不能であるとともに、液体が通過可能である。
【０１２１】
フィルタ５７は、本体５２のうちの、ｚ軸の正方向における端面の開口を、当該開口の全体に亘って被覆する（換言すると、当該開口を塞ぐ）。フィルタ５７は、フィルタ５７の外縁部が、容器枠５４の内壁面と、本体５２の外壁面と、の間に挟まれることにより、取り外し可能に本体５２に固定される。
なお、容器部５０は、第２態様を有しなくてもよい。
【０１２２】
（分離方法）
次に、環形動物分離装置１を用いた環形動物分離方法について説明する。
先ず、発酵に伴って臭気を発生する臭気発生体を用意する。本例では、臭気発生体は、有機物に、発酵を促進する発酵促進剤を添加することにより生成される。
【０１２３】
本例では、発酵促進剤は、ＥＭ（Ｅｆｆｅｃｔｉｖｅ  Ｍｉｃｒｏｏｒｇａｎｉｓｍｓ）と呼ばれる所定の微生物群を含む。本例では、ＥＭは、乳酸菌、光合成細菌、放線菌、及び、糸状菌を含む。本例では、発酵促進剤は、ＥＭぼかし、又は、ＥＭ発酵資材と表されてもよい。
本例では、臭気発生体の発酵が最もよく進む温度は、摂氏３５度である。
【０１２４】
なお、臭気発生体は、発酵促進剤が添加されることなく、有機物を発酵させることにより生成されてもよい。本例では、有機物は、飯である。なお、有機物は、飯以外の穀物が主成分である食品（例えば、パン類、又は、麺類等）であってもよい。また、有機物は、穀物が主成分である食品に代えて、又は、穀物が主成分である食品に加えて、炭水化物若しくは糖質が相対的に多い食品、又は、果実（例えば、リンゴ、イチゴ、又は、メロン等の甘味が強い果実）を含んでいてもよい。
【０１２５】
漏斗部２０が支持部１０に取り付けられるとともに、トレイ部３０、蓋部４０、及び、容器部５０が支持部１０から取り外された状態となるように、環形動物分離装置１の状態を変更する。
【０１２６】
ところで、環形動物は、乾燥に弱い。そこで、容器部５０の本体５２には、環形動物が収容されるより前に、予め液体が収容されることが好適である。
そこで、容器部５０の本体５２に液体を注入する。本例では、注入される液体は、環形動物の皮膚から排泄される液肥である。液肥は、コンポストティーと表されてもよい。なお、注入される液体は、液肥に代えて、又は、液肥に加えて、水を含んでいてもよい。また、容器部５０の本体５２に液体を注入しなくてもよい。
【０１２７】
漏斗部２０の本体２１の内壁面、及び、延出部２２の内壁面に潤滑油を塗布する。なお、漏斗部２０の本体２１の内壁面、及び、延出部２２の内壁面に潤滑油を塗布しなくてもよい。
【０１２８】
第１トレイ３１の底面３１１の外縁が、底面３１１の外縁の全体に亘って、漏斗部２０の本体２１の内壁面に接するとともに、第１トレイ３１の縁部３１３のうちの、ｚ軸の負方向における端面の外縁部が、当該外縁部の全体に亘って、支持枠１３の第２接触面１３２に接するように、第１トレイ３１を支持部１０及び漏斗部２０に載置することにより、第１トレイ３１を支持部１０及び漏斗部２０に取り付ける。
【０１２９】
第１トレイ３１の内壁面に生息床を載置する。本例では、生息床は、第１トレイ３１の内壁面のうちの、ｚ軸の負方向における端面の全体を被覆するように、且つ、生息床の表面が平らになるように、載置される。
なお、生息床が載置された後に、第１トレイ３１が支持部１０及び漏斗部２０に取り付けられてもよい。
【０１３０】
第２トレイ３２の縁部３２３のうちの、ｚ軸の負方向における端面が、当該端面の全体に亘って、第１トレイ３１の縁部３１３のうちの、ｚ軸の正方向における端面に接するように、第２トレイ３２を第１トレイ３１に載置する。
【０１３１】
第２トレイ３２の内壁面に臭気発生体を載置する。本例では、臭気発生体は、第２トレイ３２の内壁面のうちの、ｚ軸の負方向における端面の全体を被覆するように、且つ、臭気発生体の表面が平らになるように、載置される。
【０１３２】
なお、臭気発生体が載置された後に、第２トレイ３２が第１トレイ３１に載置されてもよい。また、第２トレイ３２が第１トレイ３１に載置された後に、第１トレイ３１が支持部１０及び漏斗部２０に取り付けられてもよい。
【０１３３】
蓋部４０の本体４１のうちの、ｚ軸の負方向における端面が、当該端面のうちの開口以外の部分の全体に亘って、支持部１０の第１接触面１３１に接するとともに、蓋部４０の本体４１の内壁面が、第２トレイ３２の縁部３２３のうちの、ｚ軸の正方向における端面の全体に亘って、当該端面に接するように、蓋部４０を支持部１０及びトレイ部３０に載置することにより、蓋部４０を支持部１０及びトレイ部３０に取り付ける。
【０１３４】
容器部５０を支持部１０及び漏斗部２０に取り付ける。本例では、下記のように、容器部５０が支持部１０及び漏斗部２０に取り付けられる。
容器部５０が昇降台１４の載置面に載置可能となるように、昇降台１４の載置面を、ｚ軸の負方向にて移動させる。次いで、容器部５０を昇降台１４の載置面に載置する。次いで、漏斗部２０の延出部２２が容器蓋部５５の開口５５２を通って容器部５０に挿入されるとともに、容器蓋部５５が受面部２３を押圧するように、昇降台１４の載置面を、ｚ軸の正方向にて移動させる。
このようにして、容器部５０が支持部１０及び漏斗部２０に取り付けられる。
【０１３５】
なお、容器部５０の取り付けは、トレイ部３０が支持部１０及び漏斗部２０に取り付けられる前に行われてもよい。また、容器部５０の取り付けは、蓋部４０が支持部１０及びトレイ部３０に取り付けられる前に行われてもよい。
【０１３６】
このようにして、図１４に表されるように、生息床ＨＢが第１トレイ収容空間ＳＰ１に収容されるとともに、臭気発生体ＢＳが第２トレイ収容空間ＳＰ２に収容される。
図１４は、生息床ＨＢ及び臭気発生体ＢＳが環形動物分離装置１に収容された場合において、図４のＶ−Ｖ線により表される平面により切断された環形動物分離装置１の断面をｙ軸の正方向にて見た図である。
【０１３７】
上述したように、第１トレイ収容空間ＳＰ１、及び、第２トレイ収容空間ＳＰ２からなる空間は、第１トレイ３１が有する複数の孔３１２を除いて、気体に対して密閉される。また、第１トレイ収容空間ＳＰ１、第２トレイ収容空間ＳＰ２、及び、接続空間ＳＰＣからなる空間は、延出部２２のうちの、ｚ軸の負方向における端面の開口を除いて、気体に対して密閉される。また、第１トレイ収容空間ＳＰ１、第２トレイ収容空間ＳＰ２、接続空間ＳＰＣ、及び、環形動物収容空間ＳＰＡからなる空間は、連通管５６の内部空間を除いて、気体に対して密閉される。
【０１３８】
臭気発生体ＢＳは、発酵に伴って臭気を発生する。臭気は、第２トレイ３２が有する複数の孔３２２を通って第１トレイ収容空間ＳＰ１に拡散する。そして、臭気は、第１トレイ収容空間ＳＰ１に充満する。これにより、臭気は、生息床ＨＢの内部にも拡散する。
【０１３９】
その結果、生息床ＨＢの内部に生息する環形動物は、第１トレイ３１が有する複数の孔３１２を通って、接続空間ＳＰＣへ移動する。これにより、環形動物は、生息床ＨＢから分離される。
【０１４０】
更に、臭気は、第１トレイ３１が有する複数の孔３１２を通って接続空間ＳＰＣに拡散するとともに、漏斗部２０の延出部２２のうちの、ｚ軸の負方向における端面の開口を通って環形動物収容空間ＳＰＡに拡散する。
【０１４１】
これにより、環形動物は、接続空間ＳＰＣにおいて、漏斗部２０の内壁面をｚ軸の負方向へ移動し、その後、環形動物収容空間ＳＰＡへ移動する。このようにして、環形動物は、環形動物収容空間ＳＰＡに収容される。
【０１４２】
また、本例では、臭気発生体ＢＳの温度を制御するために、温度制御部４２、及び、開閉部４３が用いられる。なお、臭気発生体ＢＳの温度を制御するために、温度制御部４２、及び、開閉部４３のうちの一方のみが用いられてもよい。
【０１４３】
例えば、環形動物の生息床ＨＢからの分離を開始する時点にて、臭気発生体ＢＳの温度が、生息床ＨＢの温度よりも低い所定の温度に一致するように、温度制御部４２を制御する。その後、臭気発生体ＢＳの温度が徐々に高くなるように、温度制御部４２を制御する。例えば、６時間乃至１２時間が経過する間に、臭気発生体ＢＳの温度が、生息床ＨＢの温度よりも低い所定の温度から、臭気発生体ＢＳの発酵が最もよく進む温度（本例では、摂氏３５度）よりも高い所定の温度（本例では、摂氏３７度）に変化するように、温度制御部４２が制御される。
【０１４４】
本例では、容器部５０の本体５２、及び、漏斗部２０の延出部２２は、透光性（本例では、透明性）を有する。従って、容器部５０から、一時的に被覆部５３を取り外すことにより、本体５２、及び、延出部２２を通して、環形動物収容空間ＳＰＡ、及び、接続空間ＳＰＣを目視により確認できる。例えば、延出部２２を通過する環形動物を目視により確認できる。また、例えば、環形動物収容空間ＳＰＡに収容された環形動物を目視により確認できる。この結果、環形動物の、生息床ＨＢからの分離の進捗状況を容易に知得できる。
【０１４５】
環形動物の生息床ＨＢからの分離が終了した場合、容器部５０が昇降台１４の載置面から移動可能となるように、昇降台１４の載置面を、ｚ軸の負方向にて移動させる。次いで、容器部５０を昇降台１４の載置面から取り出す。このようにして、容器部５０が支持部１０及び漏斗部２０から取り外される。
【０１４６】
次いで、容器部５０の本体５２から、被覆部５３、容器枠５４、容器蓋部５５、及び、連通管５６を取り外す。次いで、フィルタ５７が、本体５２のうちの、ｚ軸の正方向における端面の開口を、当該開口の全体に亘って被覆するとともに、フィルタ５７の外縁部が、容器枠５４の内壁面と、本体５２の外壁面と、の間に挟まれるように、フィルタ５７、及び、容器枠５４を本体５２に取り付ける。
このようにして、第１態様の容器部５０は、第２態様の容器部５０Ａに変更される。
【０１４７】
次いで、容器部５０Ａを水平面に対して傾斜させることにより、本体５２に収容された液体を本体５２の外部へ排出する。なお、容器部５０Ａからの液体の排出は、行われなくてもよい。
【０１４８】
また、環形動物の生息床ＨＢからの分離が終了する前に、容器部５０を支持部１０及び漏斗部２０から取り外すとともに、容器部５０に収容された環形動物を容器部５０から取り出してもよい。この場合、所定の周期（例えば、数時間）が経過する毎に、環形動物を容器部５０から取り出してもよい。
【０１４９】
以上、説明したように、実施形態の環形動物分離装置１は、生息床ＨＢと、発酵に伴って臭気を発生する臭気発生体ＢＳと、が収容される生息床収容空間（本例では、第１トレイ収容空間ＳＰ１、及び、第２トレイ収容空間ＳＰ２）を有する生息床収容部（本例では、トレイ部３０、及び、蓋部４０）を備える。
【０１５０】
生息床収容部３０，４０は、生息床収容空間ＳＰ１，ＳＰ２と、生息床収容空間ＳＰ１，ＳＰ２の外部と、を連通する、複数の孔３１２を有する。生息床収容空間ＳＰ１，ＳＰ２は、複数の孔３１２を除いて、気体に対して密閉される。
【０１５１】
環形動物分離装置１によれば、臭気は、生息床収容空間ＳＰ１，ＳＰ２に充満する。これにより、臭気は、生息床ＨＢの内部にも拡散する。ところで、環形動物は、発酵に伴って発生する臭気に対して、相当強い忌避反応を示す。従って、環形動物は、孔３１２を通って、生息床収容空間ＳＰ１，ＳＰ２の外部へ移動する。この結果、環形動物分離装置１によれば、環形動物を生息床ＨＢから容易に分離できる。
【０１５２】
従って、例えば、環形動物分離装置１によれば、生息床ＨＢに含まれていた環形動物の質量を高い精度にて測定できる。また、環形動物が分離された後の生息床ＨＢは、環形動物の糞を含む。従って、例えば、環形動物分離装置１によれば、環形動物の糞を含む土砂を容易に取得できる。
【０１５３】
更に、実施形態の環形動物分離装置１は、生息床収容空間ＳＰ１，ＳＰ２の温度を制御する温度制御部４２を備える。
【０１５４】
発酵は、温度に依存して進行する。従って、環形動物分離装置１によれば、臭気発生体ＢＳの発酵を適切に進行させることができる。この結果、臭気を適切に発生させることができる。
【０１５５】
更に、実施形態の環形動物分離装置１は、複数の孔３１２を介して生息床収容空間ＳＰ１，ＳＰ２に連接する接続空間ＳＰＣを形成するように生息床収容部３０，４０に接続される漏斗部２０を備える。
【０１５６】
漏斗部２０は、接続空間ＳＰＣと、接続空間ＳＰＣの外部と、を連通するとともに、接続空間ＳＰＣが生息床収容部３０，４０と接する面積よりも小さい開口（本例では、延出部２２のうちの、ｚ軸の負方向に端面の開口）を有する。
生息床収容空間ＳＰ１，ＳＰ２、及び、接続空間ＳＰＣからなる空間は、当該開口を除いて、気体に対して密閉される。
【０１５７】
これによれば、臭気は、生息床収容空間ＳＰ１，ＳＰ２、及び、接続空間ＳＰＣからなる空間に充満する。生息床収容空間ＳＰ１，ＳＰ２、及び、接続空間ＳＰＣからなる空間において、臭気の濃度は、開口に近づくほど低くなりやすい。従って、環形動物分離装置１によれば、環形動物を、開口へ向かって移動させることができる。この結果、生息床収容空間ＳＰ１，ＳＰ２よりも小さい環形動物収容空間ＳＰＡを有する容器（本例では、容器部５０）を、環形動物収容空間ＳＰＡと開口とが連接するように漏斗部２０に接続することにより、環形動物収容空間ＳＰＡに環形動物を容易に集めることができる。
【０１５８】
更に、実施形態の環形動物分離装置１は、漏斗部２０の開口（本例では、延出部２２のうちの、ｚ軸の負方向に端面の開口）を介して接続空間ＳＰＣに連接する環形動物収容空間ＳＰＡを形成するように漏斗部２０に接続される容器部５０を備える。
【０１５９】
容器部５０は、環形動物収容空間ＳＰＡと、環形動物収容空間ＳＰＡの外部と、を連通する、連通管５６の内部空間を有する。
生息床収容空間ＳＰ１，ＳＰ２、接続空間ＳＰＣ、及び、環形動物収容空間ＳＰＡからなる空間は、連通管５６の内部空間を除いて、気体に対して密閉される。
【０１６０】
これによれば、臭気は、生息床収容空間ＳＰ１，ＳＰ２、接続空間ＳＰＣ、及び、環形動物収容空間ＳＰＡからなる空間に充満する。生息床収容空間ＳＰ１，ＳＰ２、接続空間ＳＰＣ、及び、環形動物収容空間ＳＰＡからなる空間において、臭気の濃度は、連通管５６の内部空間に近づくほど低くなりやすい。従って、環形動物分離装置１によれば、環形動物を、連通管５６の内部空間へ向かって移動させることができる。この結果、環形動物を環形動物収容空間ＳＰＡに容易に集めることができる。
【０１６１】
更に、実施形態の環形動物分離装置１は、容器部５０は、連通管５６の内部空間を形成する壁が環形動物収容空間ＳＰＡに突出する。
【０１６２】
環形動物収容空間ＳＰＡに収容された環形動物は、環形動物収容空間ＳＰＡを形成する壁に沿って移動することがある。従って、環形動物が、連通管５６の内部空間を通って、環形動物収容空間ＳＰＡの外部へ移動する虞がある。
【０１６３】
これに対し、環形動物分離装置１によれば、環形動物収容空間ＳＰＡを形成する壁に沿って移動する環形動物が連通管５６の内部空間に進入することを抑制できる。従って、環形動物収容空間ＳＰＡに収容された環形動物が、環形動物収容空間ＳＰＡの外部へ移動することを抑制できる。
【０１６４】
更に、実施形態の環形動物分離装置１は、接続空間ＳＰＣを形成する壁が、水平面に対して、５０度以上であり且つ１８０度よりも小さい傾斜角だけ傾斜する。
【０１６５】
環形動物は、水平面に対して、５０度以上である傾斜角だけ傾斜する斜面を登りにくい。従って、環形動物分離装置１によれば、環形動物が接続空間ＳＰＣを形成する壁に滞留することを抑制できる。この結果、環形動物を、漏斗部２０の開口（本例では、延出部２２のうちの、ｚ軸の負方向に端面の開口）に迅速に到達させることができる。
【０１６６】
更に、実施形態の環形動物分離装置１は、接続空間ＳＰＣを形成する壁の少なくとも一部が透光性を有する。
【０１６７】
これによれば、接続空間ＳＰＣを形成する壁のうちの、透光性を有する部分を通過する環形動物を目視により確認できる。この結果、環形動物の、生息床ＨＢからの分離の進捗状況を容易に知得できる。
【０１６８】
なお、実施形態の環形動物分離装置１は、漏斗部２０を備え、容器部５０が漏斗部２０に接続されている。ところで、環形動物分離装置１は、漏斗部２０を備えることなく、容器部５０がトレイ部３０に接続されていてもよい。
また、環形動物分離装置１を構成する複数の構成部のうちの少なくとも一部は、一体であってもよい。
【０１６９】
また、実施形態の環形動物分離装置１は、臭気を用いて環形動物を生息床ＨＢから分離する。ところで、環形動物分離装置１は、臭気に加えて、光を用いて環形動物を生息床ＨＢから分離してもよい。この場合、環形動物分離装置１は、第１トレイ収容空間ＳＰ１の上方から第１トレイ収容空間ＳＰ１を照射する光源を備えてよい。
【０１７０】
なお、本発明は、上述した実施形態に限定されない。例えば、上述した実施形態に、本発明の趣旨を逸脱しない範囲内において当業者が理解し得る様々な変更が加えられてよい。
【符号の説明】
【０１７１】
１      環形動物分離装置
１０    支持部
１１    底板
１２    支柱
１３    支持枠
１３１  第１接触面
１３２  第２接触面
１３３  第３接触面
１４    昇降台
１４１  ハンドル
２０    漏斗部
２１    本体
２１１  第１平板
２１２  第２平板
２２    延出部
２３    受面部
３０    トレイ部
３１    第１トレイ
３１１  底面
３１２  孔
３１３  縁部
３２    第２トレイ
３２１  底面
３２２  孔
３２３  縁部
４０    蓋部
４１    本体
４２    温度制御部
４３    開閉部
５０，５０Ａ  容器部
５１    支持底
５１１  底板
５１２  第１係合部
５１３  係止部
５２    本体
５３    被覆部
５４    容器枠
５４１  第２係合部
５５    容器蓋部
５５１  底板
５５２  開口
５５３  孔
５６    連通管
５７    フィルタ
ＢＳ    臭気発生体
ＨＢ    生息床
ＳＰ１  第１トレイ収容空間
ＳＰ２  第２トレイ収容空間
ＳＰＡ  環形動物収容空間
ＳＰＣ  接続空間
【図１】
2019037148.tif 000003
【図２】
2019037148.tif 000004
【図３】
2019037148.tif 000005
【図４】
2019037148.tif 000006
【図５】
2019037148.tif 000007
【図６】
2019037148.tif 000008
【図７】
2019037148.tif 000009
【図８】
2019037148.tif 000010
【図９】
2019037148.tif 000011
【図１０】
2019037148.tif 000012
【図１１】
2019037148.tif 000013
【図１２】
2019037148.tif 000014
【図１３】
2019037148.tif 000015
【図１４】
2019037148.tif 000016